(57)【要約】【課題】構造が簡素で、低コストであり、空気流通効率が高い空気活性化装置を提供する。【解決手段】空気活性化装置は、内燃機関の外部に配設され、燃料の吸気システムの気流流路に接続され、間隔をおいて設けられた複数の第１のリブ１と、間隔をおいて設けられた複数の第２のリブ２と、アレイ状に配列された複数の乱流部３と、アレイ状に配列された複数の気体流路４とを備える。第１のリブ１は、頂面１１及び底面１２を有し、両側にそれぞれ斜面１３が形成される。第２のリブ２は、頂面２１及び底面２２を有し、両側にそれぞれ斜面２３が形成される。各第２のリブ２は、前述した第１のリブ１と交差するように接続される。各乱流部３は、第１のリブ１と第２のリブ２とが接続された箇所に形成され、凸部３１及び第３の底面３２を有する。気体流路４は、斜面１３、斜面２３及び凹部３３の間に形成される。【選択図】図２
0003226063.tif 000002
【実用新案登録請求の範囲】
【請求項１】
内燃機関の外部に配設され、燃料の吸気システムの気流流路に接続されるとともに、間隔をおいて設けられた複数の第１のリブと、間隔をおいて設けられた複数の第２のリブと、アレイ状に配列された複数の乱流部と、アレイ状に配列された複数の気体流路と、を備えた空気活性化装置であって、
第１のリブは、第１の頂面及び第１の底面を有し、両側にそれぞれ第１の斜面が形成され、
第２のリブは、第２の頂面及び第２の底面を有し、両側にそれぞれ第２の斜面が形成され、各第２のリブは、前述した第１のリブと交差するように接続され、
各乱流部は、第１のリブと第２のリブとが接続された箇所に形成され、凸部及び第３の底面を有し、第１の斜面と第２の斜面との交差箇所には凹部が形成され、
気体流路は、第１の斜面、第２の斜面及び凹部の間に形成され、
第１のリブ、第２のリブ及び乱流部は、遠赤外線物質が混合された高分子材料（ｐｏｌｙｍｅｒ  ｍａｔｅｒｉａｌ）により構成され、
相対湿度を含む空気には、水クラスター（ｃｌｕｓｔｅｒ）が含まれ、第１のリブ、第２のリブ及び乱流部に接触されると、第１の頂面、第２の頂面及び凸部が空気を案内して加速させ、気体流路を通過させ、第１の斜面、第２の斜面及び凹部により遠赤外線物質と空気との接触面積を増やし、空気に渦巻流を発生させて接触時間を増やし、空気分子を微細化し、水クラスターを共振させて微細化し、分子の自由度を高め、水クラスターにより酸素含有表面積及び燃料を混合した後の接触面積を増やし、微細化の空気分子が燃料と均一に混合され、内燃機関での内部燃焼を完全に行うことを特徴とする空気活性化装置。
【請求項２】
前記遠赤外線物質は、酸化マグネシウム（ＭｇＯ）、二酸化ケイ素（ＳｉＯ２）、二酸化チタン（ＴｉＯ２）、酸化アルミニウム（Ａｌ２Ｏ３）、酸化鉄（Ｆｅ２Ｏ３）、酸化カルシウム（ＣａＯ）、酸化クロム（Ｃｒ２Ｏ３）、酸化マンガン（ＭｎＯ）、酸化ニッケル（ＮｉＯ２）、酸化コバルト（ＣｏＯ）、酸化ジルコニウム（ＺｒＯ２）、酸化ナトリウム（ＮａＯ）、酸化カリウム（Ｋ２Ｏ）により構成された遠赤外線物質を含むがこれらだけに限定されるわけではなく、２：３：２：１：１：１：２：２：３：３：１：１：２の割合で混合焼結して研磨することを特徴とする請求項１に記載の空気活性化装置。
【請求項３】
前記遠赤外線物質の粒度は、０．０１〜３０ミクロンであるがこれらだけに限定されるわけではないことを特徴とする請求項１に記載の空気活性化装置。
【請求項４】
前記高分子材料は、ポリエチレン（ｐｏｌｙｅｔｈｙｌｅｎｅ：ＰＥ）、ポリプロピレン（ｐｏｌｙｐｒｏｐｙｌｅｎｅ：ＰＰ）、ポリウレタン（ｐｏｌｙｕｒｅｔｈａｎｅ）又はナイロン（ｎｙｌｏｎ）により構成された高分子材料（ｐｏｌｙｍｅｒ  ｍａｔｅｒｉａｌ）からなる群から選ばれることを特徴とする請求項１に記載の空気活性化装置。
【請求項５】
前記遠赤外線物質の遠赤外線発射率は、８０％以上であるがこれらだけに限定されるわけではないことを特徴とする請求項１に記載の空気活性化装置。
【請求項６】
前記第１のリブ、第２のリブ及び乱流部は一体成形されることを特徴とする請求項１に記載の空気活性化装置。
【請求項７】
前記第１のリブと第２のリブ２を交差させ、交差箇所に乱流部を設けて第１のリブ及び第２のリブを接続することを特徴とする請求項１に記載の空気活性化装置。
【請求項８】
前記第１の頂面は、第１の底面より小さい面積を有し、
第２の頂面は、第２の底面より小さい面積を有し、
凸部は、第３の底面より小さい面積を有することを特徴とする請求項１に記載の空気活性化装置。
【請求項９】
前記凸部は、第１の頂面及び第２の頂面より高いことを特徴とする請求項１に記載の空気活性化装置。
【考案の詳細な説明】
【技術分野】
【０００１】
本考案は、空気活性化装置に関するものであり、さらに詳しくは、構造が簡素で、低コスト、空気流通効率が高い空気活性化装置に関するものである。
【背景技術】
【０００２】
環境保護に関する法規の発展に伴い、各種乗り物が使用する内燃機関は、排気に関する法律も徐々に厳しくなってきており、内燃機関が駆動するときに空気と燃料とを混合して燃焼させて運動エネルギーを発生させ、排気に関する法律の要求を満たしながら内燃機関を変更しない条件下で、多くのメーカーは、遠赤外線、磁力などの装置を利用し、内燃機関に進入する空気を処理し、燃料を混合した後の燃焼効率を高めることを狙ってきた。
【０００３】
特許文献１及び特許文献２で開示されている技術は、多種類の様々な長短、大小の通気孔に制限され、空気がブロックに接触された後、様々なサイズの通気孔の交点に大量の乱流が発生してしまい、吸気効率が下がった。
【０００４】
特許文献３で開示されている技術は、空気と波状プレートとの接触数を増やすことができたが、波状プレートに接触された空気が波状プレートの両側に分流され、波状プレートの底部に乱流が発生して吸気効率が下がった。
【０００５】
特許文献４で開示されている技術は、多数の穿孔の孔径が大きすぎ、空気が乱流し、空気の通過速度が速すぎ、シート表面の遠赤外線物質は、完全に空気と活性化することができない上、特許文献４の特許明細書には、自動車の空気濾過器を通過するのは燃料ではなく空気であると間違った記載がされている。
【０００６】
また、従来の真空補助ブレーキシステムは、エンジン室の燃焼効率が設計通りにはならなかった。即ち、エンジン室の気密度、真空度が下がり、吸気マニホールドの真空度に悪影響を与えた。ブレーキするときは、真空補助ポンプがブレーキポンプに作用する作用力が、前方及び後方のブレーキングの割合を７対３又は６対４にするが、吸気マニホールドの真空度が不足しているか空気圧力が不足しているため、前方・後方のブレーキ制御率は設計通りの比率とはならなかった。そのため、前方のブレーキ効果は高いが、後輪のブレーキング効果が低い状況が発生した。そのため、急ブレーキの場合、頭部が著しく沈下し、後部が浮き上がり、横滑りを起こしたり、制動距離が長くなったりするなどの危険な状況が発生する虞があった。
【先行技術文献】
【特許文献】
【０００７】
【特許文献１】台湾実用新案公告第Ｍ５５１２２７号公報
【特許文献２】台湾実用新案公告第Ｍ３０５２６３号公報
【特許文献３】台湾実用新案公告第Ｍ５３１９８４号公報
【特許文献４】台湾実用新案公告第Ｍ３５８８８０号公報
【考案の概要】
【考案が解決しようとする課題】
【０００８】
従って、本考案の第１の課題は、構造が簡素で、低コスト、空気流通効率が高い空気活性化装置を提供することにある。
【０００９】
本考案の第２の課題は、空気中の水クラスターを共振させて微細化させ、分子の自由度を高める空気活性化装置を提供することにある。
【００１０】
本考案の第３の課題は、水クラスターを微細化した後、酸素含有表面積及び燃料を混合した後の接触面積を増やし、空気に渦巻流を発生させて接触時間を増やし、空気分子が燃料と均一に混合され易くなる空気活性化装置を提供することにある。
【００１１】
本考案の第４の課題は、水クラスターにより酸素が含まれる面積を増加させ、空気の圧力を増大させ、ブレーキ補助ポンプの空気密度を高めて制動距離を短くし走行の安全性を高める空気活性化装置を提供することにある。
【課題を解決するための手段】
【００１２】
そこで、本考案者は、前記の本考案の課題を解決するため鋭意検討を重ねた結果、下記の通り、要旨（１）に係る考案の第１の形態によれば、上記課題を解決できる点に着目した。
すなわち、内燃機関の外部に配設され、燃料の吸気システムの気流流路に接続されるとともに、間隔をおいて設けられた複数の第１のリブと、間隔をおいて設けられた複数の第２のリブと、アレイ状に配列された複数の乱流部と、アレイ状に配列された複数の気体流路と、を備えた、空気活性化装置であって、
第１のリブは、第１の頂面及び第１の底面を有し、両側にそれぞれ第１の斜面が形成され、
第２のリブは、第２の頂面及び第２の底面を有し、両側にそれぞれ第２の斜面が形成され、各第２のリブは、前述した第１のリブと交差するように接続され、
各乱流部は、第１のリブと第２のリブとが接続された箇所に形成され、凸部及び第３の底面を有し、第１の斜面と第２の斜面との交差箇所には凹部が形成され、
気体流路は、第１の斜面、第２の斜面及び凹部の間に形成され、第１のリブ、第２のリブ及び乱流部は、遠赤外線物質が混合された高分子材料（ｐｏｌｙｍｅｒ  ｍａｔｅｒｉａｌ）により構成され、
相対湿度を含む空気には、水クラスター（ｃｌｕｓｔｅｒ）が含まれ、第１のリブ、第２のリブ及び乱流部に接触されると、第１の頂面、第２の頂面及び凸部が空気を案内して加速させ、気体流路を通過させ、第１の斜面、第２の斜面及び凹部により遠赤外線物質と空気との接触面積を増やし、空気に渦巻流を発生させて接触時間を増やし、空気分子を微細化し、水クラスターを共振させて微細化し、分子の自由度を高め、水クラスターにより酸素含有表面積及び燃料を混合した後の接触面積を増やし、微細化の空気分子が燃料と均一に混合され、内燃機関での内部燃焼を完全に行うことを特徴とする空気活性化装置が提供される。
【００１３】
前記遠赤外線物質は、酸化マグネシウム（ＭｇＯ）、二酸化ケイ素（ＳｉＯ２）、二酸化チタン（ＴｉＯ２）、酸化アルミニウム（Ａｌ２Ｏ３）、酸化鉄（Ｆｅ２Ｏ３）、酸化カルシウム（ＣａＯ）、酸化クロム（Ｃｒ２Ｏ３）、酸化マンガン（ＭｎＯ）、酸化ニッケル（ＮｉＯ２）、酸化コバルト（ＣｏＯ）、酸化ジルコニウム（ＺｒＯ２）、酸化ナトリウム（ＮａＯ）、酸化カリウム（Ｋ２Ｏ）により構成された遠赤外線物質を含むがこれらだけに限定されるわけではなく、２：３：２：１：１：１：２：２：３：３：１：１：２の割合で混合焼結して研磨することが好ましい。
【００１４】
前記遠赤外線物質の粒度は、０．０１〜３０ミクロンであるがこれらだけに限定されるわけではないことが好ましい。
【００１５】
前記高分子材料は、ポリエチレン（ｐｏｌｙｅｔｈｙｌｅｎｅ：ＰＥ）、ポリプロピレン（ｐｏｌｙｐｒｏｐｙｌｅｎｅ：ＰＰ）、ポリウレタン（ｐｏｌｙｕｒｅｔｈａｎｅ）又はナイロン（ｎｙｌｏｎ）により構成された高分子材料（ｐｏｌｙｍｅｒ  ｍａｔｅｒｉａｌ）からなる群から選ばれることが好ましい。
【００１６】
前記遠赤外線物質の遠赤外線発射率は、８０％以上であるがこれらだけに限定されるわけではないことが好ましい。
【００１７】
前記第１のリブ、第２のリブ及び乱流部は一体成形されることが好ましい。
【００１８】
前記第１のリブと第２のリブ２を交差させ、交差箇所に乱流部を設けて第１のリブ及び第２のリブを接続することが好ましい。
【００１９】
前記第１の頂面は、第１の底面より小さい面積を有し、第２の頂面は、第２の底面より小さい面積を有し、凸部は、第３の底面より小さい面積を有することが好ましい。
【００２０】
前記凸部は、第１の頂面及び第２の頂面より高いことが好ましい。
【００２１】
かくして、本考案の要旨は、次の（１）〜（９）に記載の通りのものである。
【００２２】
（１）内燃機関の外部に配設され、燃料の吸気システムの気流流路に接続されるとともに、間隔をおいて設けられた複数の第１のリブと、間隔をおいて設けられた複数の第２のリブと、アレイ状に配列された複数の乱流部と、アレイ状に配列された複数の気体流路と、を備えた、空気活性化装置であって、
第１のリブは、第１の頂面及び第１の底面を有し、両側にそれぞれ第１の斜面が形成され、
第２のリブは、第２の頂面及び第２の底面を有し、両側にそれぞれ第２の斜面が形成され、各第２のリブは、前述した第１のリブと交差するように接続され、
各乱流部は、第１のリブと第２のリブとが接続された箇所に形成され、凸部及び第３の底面を有し、第１の斜面と第２の斜面との交差箇所には凹部が形成され、
気体流路は、第１の斜面、第２の斜面及び凹部の間に形成され、
第１のリブ、第２のリブ及び乱流部は、遠赤外線物質が混合された高分子材料（ｐｏｌｙｍｅｒ  ｍａｔｅｒｉａｌ）により構成され、
相対湿度を含む空気には、水クラスター（ｃｌｕｓｔｅｒ）が含まれ、第１のリブ、第２のリブ及び乱流部に接触されると、第１の頂面、第２の頂面及び凸部が空気を案内して加速させ、気体流路を通過させ、第１の斜面、第２の斜面及び凹部により遠赤外線物質と空気との接触面積を増やし、空気に渦巻流を発生させて接触時間を増やし、空気分子を微細化し、水クラスターを共振させて微細化し、分子の自由度を高め、水クラスターにより酸素含有表面積及び燃料を混合した後の接触面積を増やし、微細化の空気分子が燃料と均一に混合され、内燃機関での内部燃焼を完全に行うことを特徴とする空気活性化装置。
【００２３】
（２）前記遠赤外線物質は、酸化マグネシウム（ＭｇＯ）、二酸化ケイ素（ＳｉＯ２）、二酸化チタン（ＴｉＯ２）、酸化アルミニウム（Ａｌ２Ｏ３）、酸化鉄（Ｆｅ２Ｏ３）、酸化カルシウム（ＣａＯ）、酸化クロム（Ｃｒ２Ｏ３）、酸化マンガン（ＭｎＯ）、酸化ニッケル（ＮｉＯ２）、酸化コバルト（ＣｏＯ）、酸化ジルコニウム（ＺｒＯ２）、酸化ナトリウム（ＮａＯ）、酸化カリウム（Ｋ２Ｏ）により構成された遠赤外線物質を含むがこれらだけに限定されるわけではなく、２：３：２：１：１：１：２：２：３：３：１：１：２の割合で混合焼結して研磨することを特徴とする前記（１）に記載の空気活性化装置。
【００２４】
（３）前記遠赤外線物質の粒度は、０．０１〜３０ミクロンであるがこれらだけに限定されるわけではないことを特徴とする前記（１）に記載の空気活性化装置。
【００２５】
（４）前記高分子材料は、ポリエチレン（ｐｏｌｙｅｔｈｙｌｅｎｅ：ＰＥ）、ポリプロピレン（ｐｏｌｙｐｒｏｐｙｌｅｎｅ：ＰＰ）、ポリウレタン（ｐｏｌｙｕｒｅｔｈａｎｅ）又はナイロン（ｎｙｌｏｎ）により構成された高分子材料（ｐｏｌｙｍｅｒ  ｍａｔｅｒｉａｌ）からなる群から選ばれることを特徴とする前記（１）に記載の空気活性化装置。
【００２６】
（５）前記遠赤外線物質の遠赤外線発射率は、８０％以上であるがこれらだけに限定されるわけではないことを特徴とする前記（１）に記載の空気活性化装置。
【００２７】
（６）前記第１のリブ、第２のリブ及び乱流部は一体成形されることを特徴とする前記（１）に記載の空気活性化装置。
【００２８】
（７）前記第１のリブと第２のリブ２を交差させ、交差箇所に乱流部を設けて第１のリブ及び第２のリブを接続することを特徴とする前記（１）に記載の空気活性化装置。
【００２９】
（８）前記第１の頂面は、第１の底面より小さい面積を有し、
第２の頂面は、第２の底面より小さい面積を有し、
凸部は、第３の底面より小さい面積を有することを特徴とする前記（１）に記載の空気活性化装置。
【００３０】
（９）前記凸部は、第１の頂面及び第２の頂面より高いことを特徴とする前記（１）に記載の空気活性化装置。
【考案の効果】
【００３１】
本考案は前記の通りの構成からなるものであり、要旨（１）の考案によれば、後述のように、燃料消費量が少なく、燃料単位量当たりの歩行距離は向上を示すことができ、また、実施例において示すように、ＣＯおよびＨＣの排出量も著しく減少させることができ、顕著な効果を奏する。 
【図面の簡単な説明】
【００３２】
【図１】本考案の一実施形態に係る空気活性化装置を示す斜視図である。
【図２】図１のＡ部分の拡大図である。
【図３】本考案の一実施形態に係る空気活性化装置がブレーキシステムに作用する状態を示す簡略図である。
【考案を実施するための形態】
【００３３】
以下、図面を用いて本考案を具体的に説明する。もっとも本考案は、かかる図面等により限定されるものではない。
【００３４】
本考案の一実施形態に係る空気活性化装置は、内燃機関の外部に設置され、燃料ガス吸気システムの気流経路に接続される。図１及び図２に示すように、本考案の一実施形態に係る空気活性化装置は、間隔をおいて設けられた複数の第１のリブ１及び第２のリブ２と、アレイ状に配列された複数の乱流部３及び気体流路４と、を含む。
【００３５】
各第１のリブ１は、第１の頂面１１及び第１の底面１２を有する。第１の頂面１１は、第１の底面１２より小さい面積を有し、両側にそれぞれ第１の斜面１３が形成されている。
【００３６】
各第２のリブ２は、第２の頂面２１及び第２の底面２２を有する。第２の頂面２１は、第２の底面２２より小さい面積を有し、両側にそれぞれ第２の斜面２３が形成されている。各第２のリブ２は、前述した第１のリブ１と交差するように接続される。
【００３７】
各乱流部３は、前述した第１のリブ１と第２のリブ２とが一体成形された接続箇所に形成され、凸部３１及び第３の底面３２を有する。凸部３１は、第３の底面３２より小さい面積を有し、第１の頂面１１及び第２の頂面２１より高く、第１の斜面１３と第２の斜面２３との交差箇所には凹部３３が形成される。
【００３８】
各気体流路４は、前述した第１の斜面１３、第２の斜面２３及び凹部３３の間に形成される。
【００３９】
前述した第１のリブ１、第２のリブ２及び乱流部３は、遠赤外線物質が混合された高分子材料（ｐｏｌｙｍｅｒ  ｍａｔｅｒｉａｌ）により構成される。遠赤外線物質は、酸化マグネシウム（ＭｇＯ）、二酸化ケイ素（ＳｉＯ２）、二酸化チタン（ＴｉＯ２）、酸化アルミニウム（Ａｌ２Ｏ３）、酸化鉄（Ｆｅ２Ｏ３）、酸化カルシウム（ＣａＯ）、酸化クロム（Ｃｒ２Ｏ３）、酸化マンガン（ＭｎＯ）、酸化ニッケル（ＮｉＯ２）、酸化コバルト（ＣｏＯ）、酸化ジルコニウム（ＺｒＯ２）、酸化ナトリウム（ＮａＯ）、酸化カリウム（Ｋ２Ｏ）により構成された遠赤外線物質を含むがこれらだけに限定されるわけではなく、遠赤外線発射率は、８０％以上であるがこれらだけに限定されるわけではないが、２：３：２：１：１：１：２：２：３：３：１：１：２の割合で混合焼結し、０．０１〜３０ミクロンレベルのミクロン粒子に研磨されてもよい。
【００４０】
高分子材料（ｐｏｌｙｍｅｒ  ｍａｔｅｒｉａｌ）は、ポリエチレン（ｐｏｌｙｅｔｈｙｌｅｎｅ：ＰＥ）、ポリプロピレン（ｐｏｌｙｐｒｏｐｙｌｅｎｅ：ＰＰ）、ポリウレタン（ｐｏｌｙｕｒｅｔｈａｎｅ）又はナイロン（ｎｙｌｏｎ）により構成された高分子材料（ｐｏｌｙｍｅｒ  ｍａｔｅｒｉａｌ）からなる群から選ばれるがこれらだけに限定されるわけではない。
【００４１】
遠赤外線物質に高分子材料を混合してから、射出成形により一体化し、第１のリブ１、第２のリブ２及び乱流部３の構造組み合わせを完成させるか、第１のリブ１と第２のリブ２とを交差させ、交差箇所に乱流部３を設けて第１のリブ１及び第２のリブ２の組立構造を接続してもよい。
【００４２】
相対湿度を含む空気には水クラスター（ｃｌｕｓｔｅｒ）が含まれ、第１のリブ１、第２のリブ２及び乱流部３に接触され、第１の頂面１１、第２の頂面２１及び凸部３１が空気を案内して加速させ、気体流路４を通過させ、第１の斜面１３、第２の斜面２３、凸部３１及び凹部３３の空気が撹乱する作用を得て、遠赤外線物質と空気との接触面積を増やし、空気に渦巻流を発生させて接触時間を増やし、空気中の水クラスターを共振させて微細化させ、分子の自由度を高め、水クラスターにより酸素含有表面積及び燃料を混合した後の接触面積を増やし、真空補助ブレーキシステムの制動圧力を高め、微細化の酸素含有分子は、燃料と均一に混合され、内燃機関での燃焼を完全に行うため、排気ガスの排出が大幅に減り、設計通りに内燃機関の馬力を得て、エンジン室に媒が堆積することを防ぎ、部品の寿命を延ばし、ブレーキの制動距離を短くすることができる。
【００４３】
図１及び図３を参照する。図１及び図３に示すように、本考案の一実施形態に係る空気活性化装置は、エンジン室Ａの外部に配設され、水クラスターを導入して微細化した空気によりエンジン室Ａ内の燃焼効率を高め、媒が堆積することを防ぎ、エンジン室Ａの気密度及び真空度を高めるとともに、微細化された水クラスターが結びつき、吸気マニホールドＢを介して真空補助ポンプＣ内に入る真空度を高め、制動圧力を高めることができる。実際にブレーキ時は、真空補助ポンプＣがブレーキポンプＤに作用する作用力を均一にして安定させ、ブレーキポンプＤによりブレーキオイルをブレーキ整合器まで安定的に送って、前輪ブレーキシステムＥ及び後輪ブレーキシステムＦに均等に送り込み、ブレーキシステムは設計した比率に応じて確実に受圧し、前後輪の設計通りの７：３又は６：４の割合でバランス良くブレーキすることができるため、急ブレーキしたときに頭部が著しく沈下し、後部が浮き上がり、横滑りを起こすことを防ぎ、制動距離を短くして走行の安全性を高めることができる。
【００４４】
表１を参照する。表１に示すように、自動車の後部に本考案の空気活性装置を取り付けた前後のエンジンの燃料消費、ＣＯ（一酸化炭素）及びＨＣ（炭化水素化合物）を実際にテストして較べた結果の表を見ると分かるように、テスト車両１〜テスト車両６の１リットル当りの走行距離は明らかに向上している。即ち、燃料消費が少なく、ＣＯ及びＨＣの排出量も大きく減った。表中の一部のテスト車両のＣＯ値は非常に小さく、０．０１以下であるため、それは０で表されており、本考案の構造は実用的な価値が高い。
【００４５】
【表１】
0003226063.tif 000003
【符号の説明】
【００４６】
１  第１のリブ
２  第２のリブ
３  乱流部
４  気体流路
１１  第１の頂面
１２  第１の底面
１３  第１の斜面
２１  第２の頂面
２２  第２の底面
２３  第２の斜面
３１  凸部
３２  第３の底面
３３  凹部
Ａ  エンジン室
Ｂ  吸気マニホールド
Ｃ  真空補助ポンプ
Ｄ  ブレーキポンプ
Ｅ  前輪ブレーキシステム
Ｆ  後輪ブレーキシステム
【図１】
0003226063.tif 000004
【図２】
0003226063.tif 000005
【図３】
0003226063.tif 000006
【手続補正書】
【提出日】令和2年2月27日(2020.2.27)
【手続補正１】
【補正対象書類名】実用新案登録請求の範囲
【補正対象項目名】全文
【補正方法】変更
【補正の内容】
【実用新案登録請求の範囲】
【請求項１】
内燃機関の外部に配設され、燃料の吸気システムの気流流路に接続されるとともに、間隔をおいて設けられた複数の第１のリブと、間隔をおいて設けられた複数の第２のリブと、アレイ状に配列された複数の乱流部と、アレイ状に配列された複数の気体流路と、を備えた空気活性化装置であって、
第１のリブは、第１の頂面及び第１の底面を有し、両側にそれぞれ第１の斜面が形成され、
第２のリブは、第２の頂面及び第２の底面を有し、両側にそれぞれ第２の斜面が形成され、各第２のリブは、前述した第１のリブと交差するように接続され、
各乱流部は、第１のリブと第２のリブとが接続された箇所に形成され、凸部及び第３の底面を有し、第１の斜面と第２の斜面との交差箇所には凹部が形成され、
気体流路は、第１の斜面、第２の斜面及び凹部の間に形成され、
第１のリブ、第２のリブ及び乱流部は、遠赤外線物質が混合された高分子材料（ｐｏｌｙｍｅｒ  ｍａｔｅｒｉａｌ）により構成され、
相対湿度を含む空気には、水クラスター（ｃｌｕｓｔｅｒ）が含まれ、第１のリブ、第２のリブ及び乱流部に接触されると、第１の頂面、第２の頂面及び凸部が空気を案内して加速させ、気体流路を通過させ、第１の斜面、第２の斜面及び凹部により遠赤外線物質と空気との接触面積を増やし、空気に渦巻流を発生させて接触時間を増やし、空気分子を微細化し、水クラスターを共振させて微細化し、分子の自由度を高め、水クラスターにより酸素含有表面積及び燃料を混合した後の接触面積を増やし、微細化の空気分子が燃料と均一に混合され、内燃機関での内部燃焼を完全に行うことを特徴とする空気活性化装置。
【請求項２】
前記遠赤外線物質は、酸化マグネシウム（ＭｇＯ）、二酸化ケイ素（ＳｉＯ２）、二酸化チタン（ＴｉＯ２）、酸化アルミニウム（Ａｌ２Ｏ３）、酸化鉄（Ｆｅ２Ｏ３）、酸化カルシウム（ＣａＯ）、酸化クロム（Ｃｒ２Ｏ３）、酸化マンガン（ＭｎＯ）、酸化ニッケル（ＮｉＯ２）、酸化コバルト（ＣｏＯ）、酸化ジルコニウム（ＺｒＯ２）、酸化ナトリウム（Ｎａ２Ｏ）、酸化カリウム（Ｋ２Ｏ）を２：３：２：１：１：１：２：２：３：３：１：１：２の割合で混合してなる混合物を焼結して研磨してなることを特徴とする請求項１に記載の空気活性化装置。
【請求項３】
前記遠赤外線物質の粒度は、０．０１〜３０ミクロンであることを特徴とする請求項１に記載の空気活性化装置。
【請求項４】
前記高分子材料は、ポリエチレン（ｐｏｌｙｅｔｈｙｌｅｎｅ：ＰＥ）、ポリプロピレン（ｐｏｌｙｐｒｏｐｙｌｅｎｅ：ＰＰ）、ポリウレタン（ｐｏｌｙｕｒｅｔｈａｎｅ）又はナイロン（ｎｙｌｏｎ）により構成された高分子材料（ｐｏｌｙｍｅｒ  ｍａｔｅｒｉａｌ）からなる群から選ばれることを特徴とする請求項１に記載の空気活性化装置。
【請求項５】
前記遠赤外線物質の遠赤外線発射率は、８０％以上であることを特徴とする請求項１に記載の空気活性化装置。
【請求項６】
前記第１のリブ、第２のリブ及び乱流部は一体成形されることを特徴とする請求項１に記載の空気活性化装置。
【請求項７】
前記第１のリブと第２のリブ２を交差させ、交差箇所に乱流部を設けて第１のリブ及び第２のリブを接続することを特徴とする請求項１に記載の空気活性化装置。
【請求項８】
前記第１の頂面は、第１の底面より小さい面積を有し、
第２の頂面は、第２の底面より小さい面積を有し、凸部は、第３の底面より小さい面積を有することを特徴とする請求項１に記載の空気活性化装置。
【請求項９】
前記凸部は、第１の頂面及び第２の頂面より高いことを特徴とする請求項１に記載の空気活性化装置。
【手続補正２】
【補正対象書類名】明細書
【補正対象項目名】００１３
【補正方法】変更
【補正の内容】
【００１３】
前記遠赤外線物質は、酸化マグネシウム（ＭｇＯ）、二酸化ケイ素（ＳｉＯ２）、二酸化チタン（ＴｉＯ２）、酸化アルミニウム（Ａｌ２Ｏ３）、酸化鉄（Ｆｅ２Ｏ３）、酸化カルシウム（ＣａＯ）、酸化クロム（Ｃｒ２Ｏ３）、酸化マンガン（ＭｎＯ）、酸化ニッケル（ＮｉＯ２）、酸化コバルト（ＣｏＯ）、酸化ジルコニウム（ＺｒＯ２）、酸化ナトリウム（ＮａＯ）、酸化カリウム（Ｋ２Ｏ）を２：３：２：１：１：１：２：２：３：３：１：１：２の割合で混合焼結して研磨することが好ましい。
【手続補正３】
【補正対象書類名】明細書
【補正対象項目名】００１４
【補正方法】変更
【補正の内容】
【００１４】
前記遠赤外線物質の粒度は、０．０１〜３０ミクロンであることが好ましい。
【手続補正４】
【補正対象書類名】明細書
【補正対象項目名】００１６
【補正方法】変更
【補正の内容】
【００１６】
前記遠赤外線物質の遠赤外線発射率は、８０％以上であることが好ましい。
【手続補正５】
【補正対象書類名】明細書
【補正対象項目名】００２３
【補正方法】変更
【補正の内容】
【００２３】
（２）前記遠赤外線物質は、酸化マグネシウム（ＭｇＯ）、二酸化ケイ素（ＳｉＯ２）、二酸化チタン（ＴｉＯ２）、酸化アルミニウム（Ａｌ２Ｏ３）、酸化鉄（Ｆｅ２Ｏ３）、酸化カルシウム（ＣａＯ）、酸化クロム（Ｃｒ２Ｏ３）、酸化マンガン（ＭｎＯ）、酸化ニッケル（ＮｉＯ２）、酸化コバルト（ＣｏＯ）、酸化ジルコニウム（ＺｒＯ２）、酸化ナトリウム（Ｎａ２Ｏ）、酸化カリウム（Ｋ２Ｏ）を２：３：２：１：１：１：２：２：３：３：１：１：２の割合で混合してなる混合物を焼結して研磨してなることを特徴とする前記（１）に記載の空気活性化装置。
【手続補正６】
【補正対象書類名】明細書
【補正対象項目名】００２４
【補正方法】変更
【補正の内容】
【００２４】
（３）前記遠赤外線物質の粒度は、０．０１〜３０ミクロンであることを特徴とする前記（１）に記載の空気活性化装置。
【手続補正７】
【補正対象書類名】明細書
【補正対象項目名】００２６
【補正方法】変更
【補正の内容】
【００２６】
（５）前記遠赤外線物質の遠赤外線発射率は、８０％以上であることを特徴とする前記（１）に記載の空気活性化装置。